【事件の表示】
　平成１１年特許願第３４９４７３号「ヘッドドラム装置」拒絶査定に対する審判事件［平成１２年　７月１４日出願公開、特開２０００−１９５０２７］について、次のとおり審決する。
【結　論】
　本件審判の請求は、成り立たない。
【理　由】
［１］本願発明
　本願は、平成１１年１２月８日（パリ条約による優先権主張　１９９８年１２月８日　韓国（ＫＲ））の出願であって、その請求項１に係る発明は、平成１２年９月２０日付けの手続補正書によって補正された明細書及び図面の記載からみて、本願の特許請求の範囲の請求項１に記載された次のとおりのものと認める（以下、本願発明という。）。
「【請求項１】　下部ドラムと、
前記下部ドラムの中央部に圧入固定される固定軸と、
前記固定軸に少なくとも１個以上のベアリングを媒介として回転可能に結合される上部ドラムと、
前記上部ドラムの上面にプレートを媒介で固定されるロータマグネットと、
前記固定軸の上端部にセットスクリューにより固定されるボスと、
前記ボスにロータマグネットと対向するように固定されて、一側面に形成されたＰＧパターン及びＦＧパターンと各々の接続パターンとをジャンプパターンを利用して各々連結する印刷回路基板と、
前記ロータマグネットと対向するように前記印刷回路基板の前記パターン上に実装されるモータステータコイルから構成されることを特徴とするヘッドドラム装置。」
　
［２］刊行物
　１．特開平９−２６６６５５号公報
　２．特開平９−　７３６０１号公報
　３．特開平６−　３８４８４号公報
　
ジャンプパターンを利用して連結する周知例
　４．特開平６−２１６５６４号公報（ジャンプ回路１３）
　５．実願平３−４２９９２号（実開平５−７７９６６号）のＣＤ−ＲＯＭ（配線パターン３８、配線パターン８）
　６．特開平１−２７６６９０号公報（ペーストパターン２２、プリントパターン５）
　
［３］刊行物に記載された事項
刊行物１
「【特許請求の範囲】
　　【請求項１】　ステータに対して、永久磁石を有するロータが軸方向で対向するブラシレスモータにおいて、
　前記ステータは、
　静止部位に設けられたステータ基板と、
　ステータコイルと、
　前記ステータ基板に重ね状態に装着され、前記ロータと軸方向において対向する面に前記ステータコイルを実装すると共に、一方の面にコイル導通パターンを形成し、他方の面に信号検出パターンを形成し、且つ、これらコイル導通パターンおよび信号検出パターンに導通する接続パターンを有する接続部を外側端部から延出してなるフレキシブル基板とを有する構成であることを特徴とするブラシレスモータ。」
「【０００８】
　本発明は上述の事情に鑑みてなされたものであり、その目的は、いわゆるアキシャルギャップ形のブラシレスモータにおいて、コイル導通パターンおよび信号検出パターンとモータ外部とを接続するための構成が簡単となると共にその接続作業も容易となり、しかもステータ基板の取付精度の低下を防止することも可能となるブラシレスモータを提供するにある。」
「【００１２】
　この構成においては、フレキシブル基板の外側端部から接続部を延出しているから、ステータ基板の中心部位に接続部が存在する従来構成と違って、ステータ基板の中心部に接続部を逃げるための逃げ部を形成する必要がなく、ステータ基板の取付けも片持ちとなることもなく、従って、ステータ基板の取付精度の低下を防止することが可能となる。また、フレキシブル基板に、接続パターンとコイル導通パターンとを形成しているので、接続構成の簡単化および接続作業の容易化に寄与できる。特に、ステータ基板の片側の面に信号検出パターンを、フレキシブル基板の片側の面に接続パターンおよびコイル導通パターンをそれぞれ形成しているので、基板の両面にパターンを形成する場合と違って、パターン形成が比較的容易である。
　【００１３】
　【発明の実施の形態】
　以下、本発明の第１の実施例につき図１ないし図４を参照しながら説明する。
本実施例では、ビデオテープレコーダーのシリンダの内側に設けられるモータを示している。ステータ２１は、ステータ基板２２と、ステータコイル２３と、フレキシブルなプリント基板からなるフレキシブル基板２４とを有して構成されている。　
　【００１４】
　上記ステータ基板２２は珪素鋼板から構成されており、このステータ基板２２の下面に上記フレキシブル基板２４が重ね状態に装着されている。このフレキシブル基板２４において、後述のロータ３６と対向する面たる下面には、図３に示すように、コイル導通パターン２５が形成されていると共に、多数の小さな捨てパターン２６が分散して形成されており、また上面には、図４に示すように、位置信号検出パターン２７および回転速度信号検出パターン２８が形成されていると共に、多数の小さな捨てパターン２９が分散して形成されている。前記ステータコイル２３はこのフレキシブル基板２４の下面に実装されていて、前記コイル導通パターン２５と導通している。　
　【００１５】
　さらに、このフレキシブル基板２４には、その外側端部に接続部３０が形成されており、この接続部３０には所定本数の接続パターン３１が形成されている。
この接続パターン３１のうち一部のものの一端側は、前記コイル導通パターン２５に接続され、残りのものの一端側は、スルーホール３２を介して裏面側の位置信号検出パターン２７および回転速度信号検出パターン２８に接続されている。
また、各接続パターン３１の他端部は、接続ターミナル３１ａとして接続部３０の先端部に導かれている。このフレキシブル基板２４の接続部３０はステータ基板２２から横方向へ導出されている。
　【００１６】　
　このような構成のステータ２１のステータ基板２２の上面が、固定軸３３に一体的に取付けられたボス（静止部位に相当する）３４の張出部３４ａ下面に接着固定されている。
　【００１７】
　また、前記固定軸３３には、シリンダ３５が回転自在に設けられており、このシリンダ３５の上部には、ロータ３６が、前記ステータ２１と対向するように取付けられている。このロータ３６は、ロータヨーク３７とロータマグネット３８とを有して構成されている。なお、ロータマグネット３８には、図示しないが位置信号検出用磁極部および回転速度信号検出用磁極部が設けられている。」
「【００１９】
　また、フレキシブル基板２４に、接続パターン３１と、ステータ基板２２のコイル導通パターン２６および位置信号検出パターン２７並びに回転速度信号検出パターン２８とを形成して、それらを接続しているので、接続の簡単化を図ることが容易で、総じて、接続部の構成の簡単化および接続作業の容易化に寄与できる。」
　図３，４には、フレキシブル基板上のパターンが図示されている。
　
刊行物２
「【請求項１】　磁気ヘッド(51)を具えた回転ドラム(５)及び固定ドラム(２)を支持軸(１)上に配備し、回転ドラム(５)と一体に回転する環状磁性体のバックヨーク(７)と回転ドラム(５)との間に、一対又は複数対の磁極を有し回転ドラム(５)と一体に回転する磁石(62)と、周波数発電用ＦＧコイル、位相検出信号発電用のＰＧコイル及び駆動用コイルが３層に積層され支持軸(１)上に固定されたプリント基板(８)とを微小ギャップを隔てて配置した回転磁気ヘッド装置において、プリント基板(８)は、支持軸(１)に嵌着した磁石(62)側の位置決めボス(９)と、バックヨーク(７)側の取付けボス(92)とに挟まれて取付けボス(92)に接着、かしめ等により固定され位置決めボス(９)よりも取付けボス(92)の方が、軸に緊密に嵌まっている部分の軸方向の長さが大であることを特徴とする回転磁気ヘッド装置。」（特許請求の範囲）
「【０００２】
　　【従来の技術】
　従来のカメラ一体型ＶＴＲ等における超小型回転磁気ヘッド装置は、小型軽量化が要求され、ＤＤモータを内蔵したものが主流になっている。
　図３は、従来のＤＤモータ内蔵型の回転磁気ヘッド装置であり、固定ドラム(２)の軸芯に突設した支持軸(１)にベアリング(41)(41)及び支持筒(４)を介して回転ドラム(５)を回転自由に配備し、回転ドラム(５)に磁気ヘッド(51)を具えている。　
　【０００３】
　固定ドラム(２)上に設けた固定側コイル部材(31)と、支持筒(４)上に設けた回転側コイル部材(32)を近接して対向させロータリトランス(３)を構成している。ＤＤモータ(６)は、回転ドラム(５)にロータリヨーク(61)を介してドラムと同芯に配備された環状の磁石(62)、回転ドラム(５)に該ドラムに固定された環状磁性体のバックヨーク(７)、磁石(62)とバックヨーク(７)との間にて、両者に微小ギャップを存して支持軸(１)上に固定配備されたプリント基板(８)とによって構成される。」　
「【００１０】
　　【発明の実施の態様】
　図１は本発明の回転磁気ヘッド装置の回転ドラム(５)から上の部分を、図２はロータリヨーク(61)から上の部分を示しているが、基本的な構成は、図３の従来例と同様であるので、以下の説明に記述していない構成は、前記図３の説明通りとする。支持軸(１)上にベアリング(41)及び支持筒(４)を介して取付けられた回転ドラム(５)と、該回転ドラム(５)に取付けられた環状のバックヨーク(７)との間の空間に、ＤＤモータ(６)が構成される。
　【００１１】
　ＤＤモータ(６)は、回転ドラム(５)にロータリヨーク(61)を介してドラムと同芯に配備された環状の磁石(62)、回転ドラム(５)に該ドラムと同芯に固定されたバックヨーク(７)、磁石(62)とバックヨーク(７)との間の空間にて、両者に微小ギャップを存して支持軸(１)上に固定配備されたプリント基板(８)とによって構成される。プリント基板(８)には、駆動用コイル、回転検出コイル及び位置検出コイル(何れも図示せず)が３層に形成され、磁石(62)は１対又は複数対の磁極を有している。　
　【００１２】
　本発明の特徴は、プリント基板(８)の取付け構造にあり、プリント基板(８)は、支持軸(１)に嵌着した磁石(62)側の位置決めボス(９)と、バックヨーク(７)側の取付けボス(92)とに挟まれて該取付けボス(92)に接着固定されている。位置決めボス(９)は、支持軸(１)に圧入或いは焼嵌めにて固定される。取付けボス(92)は、支持軸(１)にガタツキのない様に緊密に嵌合され、周面に開設した貫通ネジ孔(94)にフォローセットネジ(95)を螺合して支持軸(１)に固定される。
　【００１３】
　取付けボス(92)の内端側孔縁に薄肉短筒部(93)を突設して、該筒部をプリント基板(８)の中央の孔に嵌めている。薄肉短筒部(93)を延長し、該筒部(93)をかしめて、取付けボス(92)にプリント基板(８)を固定することもできる。取付けボス(92)の方が位置決めボス(９)よりも、軸に緊密に嵌まっている部分の軸方向の長さが大である。」
　
刊行物３　
「【００１３】
　【実施例】
　以下図面を参照しながら本発明の第１の実施例を説明する。図１は、第１の実施例における磁石の着磁パターンを示す平面図である。図２は、本発明の実施例におけるＦＧ、及びＰＧの導体パターンを示すステータの平面図である。・・・・・・・。図４は、本発明の実施例におけるモータを搭載した回転ヘッド装置の側断面図である。図４において、固定ドラム１５には、その中心に軸１６が固定されている。ディスク１７には、その中心に軸１６と所定の間隙をもって回転自在な動圧型流体軸受１７ａが構成されている。複数個のヘッド１８を担持した回転ドラム１９は、ディスク１７と同軸的に固定されて回転自在である。・・・・・・・・・。バックヨーク２２は、円環状の磁石１を固着し、ディスク１７に支承されて回転自在である。磁石１には駆動用の複数極（ここでは６対、すなわち１２極）の第１の磁極２が内周側に、かつ回転速度検出用の複数極（ここでは１２対、すなわち２４極）の第２の磁極３が外周側に、さらに第２の磁極３の近傍に第２の磁極３とは極性の異なる回転位相検出用の第３の磁極４が少なくとも１箇所、いずれも軸方向に着磁して配設されている（図１参照）。エッチングもしくはメッキ等により形成されたＦＧコイル５、及びＰＧコイル６は、それぞれが第２の磁極３及び第３の磁極４の漏洩磁束に鎖交すべく軸方向に所定の空隙を介して対向配置され、さらに固定ドラム１５にビス止めされた磁性材料性ステータ２３上に絶縁層（図示せず）を介して構成されている。・・・・・・・駆動コイル１０は、第１の磁極２の漏洩磁束に鎖交すべく磁石１と軸方向に所定の空隙を介して等ピッチで対向配置され、かつステータ２３上に絶縁層（図示せず）を介して接着固定されている。ここでは駆動コイル１０は３相よりなり、それぞれ９個配設されている（図示せず）。」
「【００１６】
　以上のように本実施例によれば、部品点数を増やすことなく磁石の着磁パターンを改良するだけの簡単な構成でＦＧ周波数を上げることができ、かつ位相検出が可能なモータを実現できる。」
「【００２１】
　なお、本実施例において駆動コイル１０は絶縁層（図示せず）を介してステータ２３に接着固定したが、本発明はこれに限定されるものではなく、例えば、エッチングやメッキ等により駆動コイルを形成してもよい（図示せず）。また、本実施例においてＦＧコイル５とＰＧコイル６は、ステータ２３上に構成したが駆動コイル１０の端面と磁石１との空隙部にＦＧ，ＰＧ基板１３（図７参照）を配設してもよい（図８参照）。」
　
［４］刊行物１の発明
　上記摘記した事項によれば、「前記固定軸３３には、シリンダ３５が回転自在に設けられており」（【００１７】）との記載があり、図１の固定軸３３とシリンダ３５の間には、ベアリングの形状の部材が図示されており、刊行物１には、ビデオテープレコーダのシリンダの内側に設けられたモータに関して、以下の発明が記載されていると認められるが、実施の形態から「ヘッドドラム装置」と認定することが可能である（以下、刊行物１の発明という。）。
「固定軸と、
　前記固定軸にベアリングを媒介にした回転自在なシリンダと、
　前記シリンダの上部面にローターヨークを介して固定されたロータマグネットと、
　前記固定軸の上端部に一体的に取付けられたボスと、
　前記ボスに固定されたステータ基板の下面に固定されて、ロータマグネットに対向する一側面に形成された接続パターンと接続パターンの他端の接続ターミナルおよびコイル導通パターンと、他側面に形成された位置信号検出パターンと回転速度検出パターンとをスルーホールを利用して連結するフレキシブル基板と、
　前記ロータマグネットと対向するようにフレキシブル基板のコイル導通パターン上に実装されるステータコイルから構成されたヘッドドラム装置。」
　
［５］刊行物１の発明と本願発明の対比
　本願発明と刊行物１の発明はビデオテープレコーダのヘッドドラムに関する発明で共通し、刊行物１の発明の「回転速度信号検出パターン」は図４に示されるように中心に対して放射した凹凸形状から、回転数に比例した周波数の信号を発生する本願発明の「ＦＧパターン」に該当するパターンであり、刊行物１の発明の「位置信号検出パターン」は図４に図示されているようにパルスを発生する形状から、本願発明の「ＰＧパターン」に該当するパターンである。
　刊行物１の発明の「フレキシブル基板」と本願発明の「印刷回路基板」もパターンが形成された回路基板の部材である点で共通し、
　刊行物１の発明の「シリンダ」「接続パターンと接続パターンの他端の接続ターミナル」「ステータコイル」は、
　本願発明の「上部ドラム」「接続パターン」「モータステータコイル」に相当することから、
　両者は本願発明の記載によると以下の発明で共通する。
「固定軸と、
　前記固定軸に少なくとも１個以上のベアリングを媒介として回転可能に結合される上部ドラムと、
　前記上部ドラムの上面に部材を媒介して固定されるロータマグネットと、
　前記固定軸の上端部に固定されるボスと、
　前記ボスに固定されて、ＦＧパターン及びＰＧパターンと各々の接続パターンを連結する手段を有する回路基板と、
　前記ロータマグネットと対向するように前記回路基板に実装されるモータステータコイルから構成されることを特徴とするヘッドドラム装置。」
　
　そして、以下の各点で相違する。
１．本願発明では固定軸が下部ドラムの中央部に圧入固定されているのに対して、刊行物１の発明には固定軸と下部ドラムに関する記載がない点。
　
２．上部ドラムの上面にロータマグネットを固定するための部材が、本願発明ではプレートであるのに対して、刊行物１の発明では、ステータヨークである点。
　
３．ボスの固定が、本願発明ではセットスクリューにより固定されるのに対して、刊行物１の発明では一体的に取付けられて固定されている点。
　
４．回路基板が、本願発明ではボスに固定される印刷回路基板であるのに対して、刊行物１の発明では、ボスの下面に固定されたステータ基板に重ね状態に装着されるフレキシブル基板である点。
　
５．回路基板のロータマグネットに対向する一側面に対して、本願発明ではＰＧパターンとＦＧパターンと各々の接続パターンとこれらを連結するパターンが形成され、パターン上にモータステータコイルを実装するのに対して、刊行物１の発明では、コイル導通パターンと接続パターンと接続パターンの他端の接続ターミナルとが形成され、コイル導通パターン上にモータステータコイル（ステータコイル）が実装され、他側面にＰＧパターン（位置信号検出パターン）とＦＧパターン（回転速度信号検出パターン）が形成されている点。
　
６．ＰＧパターンとＦＧパターンと各々の接続パターンの連結手段として利用されるのが、本願発明はジャンプパターンであるのに対して、刊行物１の発明ではスルーホールである点。
　
［６］相違点についての判断
相違点１
　刊行物２の「固定ドラム(２)の軸芯に突設した支持軸(１)」（【０００２】）、刊行物３の「固定ドラム１５には、その中心に軸１６が固定されている。」（【００１３】）から明らかなように、ヘッドドラム装置において固定軸が下部ドラムに固定されることは周知であり、刊行物１では固定軸を下部ドラムに圧入固定した構成の記載を省略しているが、ヘッドドラム装置では一般に固定軸は圧入固定されており、刊行物１の発明が固定軸を下部ドラムに圧入固定した構成を備えていることは自明であり、記載の有無という形式的な相違はあるものの、この点で実質上相違するところはない。
　
相違点２
　本願発明のプレートの役割がロータマグネットを取り付ける基板以上の意味を発見し難いことから、ロータマグネットを上部ドラムの上面に支持する部材を、プレートとするか、ロータヨークとするかは適宜であると認められ、刊行物１の発明においてプレートを採用することは容易であると認められる。
　
相違点３
　フォローセットネジでボスを軸に固定することは、刊行物２の【００１２】に記載されおり、フォローセットネジは本願発明のセットスクリューに該当し、刊行物１の発明において、ボスをセットスクリューで固定することは、容易に推考できることと認められる。
　
相違点４
　ボスに他の部材を介しないで固定したプリント基板が刊行物２に記載されており、刊行物１の発明におけるステータ基板に装着されたフレキシブル基板に換えて、プリント基板（印刷回路基板）とすることは、容易に推考できることと認められる。
　
相違点５
　ロータマグネットに対向する一側面にＰＧパターンとＦＧパターンを形成し、さらにモータステータコイルを実装する構成は、刊行物２の【００１１】及び刊行物３の【００１３】【００２１】に記載されており、片面の印刷基板が両面印刷基板よりも、構成が簡単で製造容易であることは刊行物１の「特に、ステータ基板の片側の面に信号検出パターンを、フレキシブル基板の片側の面に接続パターンおよびコイル導通パターンをそれぞれ形成しているので、基板の両面にパターンを形成する場合と違って、パターン形成が比較的容易である。」（【００１２】）と示唆されており、この示唆に従うと、刊行物１の発明において、一側面に接続パターンを含めてすべてまとめてパターン形成し、さらにコイルを実装することは容易に推考できることと認められる。
　
相違点６
　回路基板上のパターンの連結手段としてジャンプパターンを利用することは周知であり（刊行物４〜６参照）、回路パターンを一面に配置する結果、パターン間の連結手段としてジャンプパターンを利用することは当然であると認められる。
　
　なお、出願人は、平成１４年６月２６日付けの意見書の（５）において、「片面の印刷基板が両面印刷基板よりも構成が簡単で製造容易であることが自明であるとの認定は当然のものとしても、刊行物１〜３のいずれにも本願発明の課題、当該構成および作用効果についての記載も示唆もないなかで、この極一般的であまりにも上位概念的な技術思想および先の意見書でも述べましたように本願発明の構成とは大きく異なる刊行物２の構成等に基づいて接続パターンを含めて導電パターンを一側面に形成し、ステータコイルをパターン上に実装することが容易であるとの認定には、論理的に大きな飛躍、乖離があると考えざるを得ません。」と記載しているが、本願に記載の【発明が解決しようとする課題】、【発明の効果】から、「その目的は、単面印刷回路基板を使用して部品及び作業工数を簡素化させて生産原価を低減して、作業能率を向上させることにより製品の生産性を向上するようにしたヘッドドラム装置を提供することにある。」にまとめられるが、この点については、上記［６］の相違点５で判断したように、大略は刊行物１に記載されている事項であり、上記意見書の主張は認められない。
　
［７］むすび
　したがって、本願発明は、引用例に記載された発明に基づいて当業者容易に発明をすることができたものとであるから、特許法第２９条第２項の規定により特許を受けることができない。
　よって結論のとおり審決する。